(57)【要約】【課題】風呂の追い焚き履歴に応じて、貯湯タンクの湯の沸き上げ温度を適切に下げることができて、貯湯タンクからの放熱ロスを小さくし、また、効率を高くして、省エネルギーを達成できる給湯機を提供すること。【解決手段】沸き上げ温度プラス補正手段５３は、メモリ５１に記憶されている風呂追い焚き手段の運転時間を参照して、その運転時間が、３０分を越えたときに、上限値に至る迄、沸き上げ温度を１日につき２℃だけ高くする。沸き上げ温度マイナス補正手段５４は、メモリ５１に記憶されている風呂追い焚き手段の運転時間を参照して、一日の風呂追い焚き運転の時間が３０分以下である日が３日を越えて続いたときに、下限値に至る迄、沸き上げ温度を１日につき２℃だけ低くするように補正する。【選択図】図１
2014070809.tif 000002
【特許請求の範囲】
【請求項１】
貯湯タンク（１）と、
上記貯湯タンク（１）の湯の沸き上げ温度を設定する沸き上げ温度設定手段（５２）と、
上記貯湯タンク（１）の湯と風呂側の湯との間で熱交換して風呂の追い焚きをする風呂追い焚き手段（４，８，９．１１，１２）と、
風呂追い焚き指令手段（３３）と、
風呂追い焚き運転の履歴を記憶するメモリ（５１，６１）と、
上記履歴に基づき、一日の風呂追い焚き運転の時間が予め定められた時間以下である日が設定期間を越えて続いたときに、上記沸き上げ温度をマイナス補正する沸き上げ温度マイナス補正手段（５４．６４）と
を備えることを特徴とする給湯機。
【請求項２】
請求項１に記載の給湯機において、
上記沸き上げ温度マイナス補正手段（５４，６４）は、沸き上げ温度を、予め定められた下限値まで、上記沸き上げ温度をマイナス補正することが可能であることを特徴とする給湯機。
【請求項３】
請求項１または２に記載の給湯機において、
風呂追い焚きの頻度が予め定められた条件を満足するとき、上記沸き上げ温度を、予め定められた上限値迄、プラス補正することが可能な沸き上げ温度プラス補正手段（５３．６３）を備えることを特徴とする給湯機。
【請求項４】
貯湯タンク（１）と、
上記貯湯タンク（１）の湯の沸き上げ温度を設定する沸き上げ温度設定手段（５２）と、
上記貯湯タンク（１）の湯と風呂側の湯との間で熱交換して風呂の追い焚きをする風呂追い焚き手段（４，８，９．１１，１２）と、
風呂追い焚き指令手段（３３）と、
風呂追い焚き運転の履歴を記憶するメモリ（６１）と、
上記履歴に基づき、一日の風呂追い焚き運転の所要熱量が予め定められた熱量以下である日が設定期間を越えて続いたときに、上記沸き上げ温度をマイナス補正する沸き上げ温度マイナス補正手段（６４）と
を備えることを特徴とする給湯機。
【発明の詳細な説明】
【技術分野】
【０００１】
この発明は、貯湯タンク式の給湯機に関する。
【背景技術】
【０００２】
従来、この種の給湯機としては、特開２００９−９２２８９号公報（特許文献１）に記載のものがある。
【０００３】
上記従来の給湯機は、貯湯タンクと、上記貯湯タンクの湯の沸き上げ温度を設定する沸き上げ温度設定手段と、上記貯湯タンクの湯と、風呂側循環回路の湯と熱交換する追い焚き熱交換手段と、風呂追い焚き起動スイッチと、風呂追い焚き運転の履歴を記憶するメモリと、沸き上げ温度補正手段とを備えている。そして、上記沸き上げ温度補正手段は、メモリの風呂追い焚き運転の履歴を参照して、過去７日間に風呂追い焚き起動スイッチが押された履歴があり、かつ、沸き上げ温度が７５℃未満の場合に、沸き上げ温度を７５℃に補正するようにして、風呂追い焚き時に十分な能力を確保して、風呂追い焚き時の使い勝手を良くしている。
【先行技術文献】
【特許文献】
【０００４】
【特許文献１】特開２００９−９２２８９号公報
【発明の概要】
【発明が解決しようとする課題】
【０００５】
しかしながら、上記従来の給湯機は、一度、沸き上げ温度を７５℃にプラス補正した後、沸き上げ温度を下げることができなく、勿論、沸き上げ温度を風呂追い焚き履歴に応じて適切に下げることができないため、高い沸き上げ温度の状態が持続して、貯湯タンクからの放熱ロスが大きく、また、ヒートポンプの効率が悪くなって、省エネルギーに反すると言う問題がある。
【０００６】
そこで、この発明の課題は、風呂の追い焚き履歴に応じて、貯湯タンクの湯の沸き上げ温度を適切に下げることができて、貯湯タンクからの放熱ロスを小さくし、また、ヒートポンプを使用する場合、その効率を高くして、省エネルギーを達成できる給湯機を提供することにある。
【課題を解決するための手段】
【０００７】
上記課題を解決するため、この発明の給湯機は、
貯湯タンクと、
上記貯湯タンクの湯の沸き上げ温度を設定する沸き上げ温度設定手段と、
上記貯湯タンクの湯と風呂側の湯との間で熱交換して風呂の追い焚きをする風呂追い焚き手段と、
風呂追い焚き指令手段と、
風呂追い焚き運転の履歴を記憶するメモリと、
上記履歴に基づき、一日の風呂追い焚き運転の時間が予め定められた時間以下である日が設定期間を越えて続いたときに、上記沸き上げ温度をマイナス補正する沸き上げ温度マイナス補正手段と
を備えることを特徴としている。
【０００８】
上記構成の給湯機によれば、上記沸き上げ温度マイナス補正手段は、メモリに記憶された風呂追い焚き運転の履歴に基づき、一日の風呂追い焚き運転の時間が予め定められた時間以下である日が設定期間を越えて続いたときに、沸き上げ温度をマイナス補正する。このように、一日の風呂追い焚き運転の時間が予め定められた時間以下である日が設定期間を越えて続いたときに、沸き上げ温度をマイナス補正するから、過度に沸き上げ温度を高くすることがなくて、貯湯タンクからの放熱ロスを小さくし、また、ヒートポンプを使用する場合、その効率を高くして、省エネルギーを達成できる。
【０００９】
１実施形態では、
上記沸き上げ温度マイナス補正手段は、沸き上げ温度を、予め定められた下限値まで、上記沸き上げ温度をマイナス補正することが可能である。
【００１０】
ここで、上記下限値は、例えば、日常の湯の使用状況に基づいて定められた沸き上げ温度Aであり、この下限値である沸き上げ温度Aと、マイナス補正されて定まる沸き上げ温度Bとを比較して、B<Aとなる場合には、貯湯タンクの湯は、下限値である沸き上げ温度Ａで沸きあげるのである。
【００１１】
上記実施形態によれば、沸き上げ温度を、予め定められた下限値まで、上記沸き上げ温度をマイナス補正するが、それよりも低くマイナス補正することがないので、湯の温度が低すぎることがなく、使い勝手、利便性を損なうことがない。
【００１２】
１実施形態は、
風呂追い焚きの頻度が予め定められた条件を満足するとき、上記沸き上げ温度を、予め定められた上限値迄、プラス補正することが可能な沸き上げ温度プラス補正手段を備える。
【００１３】
上記実施形態によれば、上記沸き上げ温度プラス補正手段が、風呂追い焚きの頻度が予め定められた条件を満足するとき、上記沸き上げ温度を、予め定められた上限値迄、プラス補正するから、風呂の追い焚きに過度に時間がかかることがなく、利便性、使い勝手が良い。また、沸き上げ温度に上限値が有って、過度に高くならないから、放熱などのエネルギーロスが比較的小さくなる。
【００１４】
また、この発明の給湯機は、
貯湯タンクと、
上記貯湯タンクの湯の沸き上げ温度を設定する沸き上げ温度設定手段と、
上記貯湯タンクの湯と風呂側の湯との間で熱交換して風呂の追い焚きをする風呂追い焚き手段と、
風呂追い焚き指令手段と、
風呂追い焚き運転の履歴を記憶するメモリと、
上記履歴に基づき、一日の風呂追い焚き運転の所要熱量が予め定められた熱量以下である日が設定期間を越えて続いたときに、上記沸き上げ温度をマイナス補正する沸き上げ温度マイナス補正手段と
を備える。
【００１５】
上記構成の給湯機によれば、上記沸き上げ温度マイナス補正手段は、メモリに記憶された風呂追い焚き運転の履歴に基づき、一日の風呂追い焚き運転の所要熱量が予め定められた熱量以下である日が設定期間を越えて続いたときに、沸き上げ温度をマイナス補正する。このように、一日の風呂追い焚き運転の所要熱量が予め定められた熱量以下である日が設定期間を越えて続いたときに、沸き上げ温度をマイナス補正するから、過度に沸き上げ温度を高くすることがなくて、貯湯タンクからの放熱ロスを小さくし、また、ヒートポンプを使用する場合、その効率を高くして、省エネルギーを達成できる。
【発明の効果】
【００１６】
この発明によれば、一日の風呂追い焚き運転の時間が予め定められた時間以下である日が設定期間を越えて続いたとき、または、一日の風呂追い焚き運転の所要熱量が予め定められた熱量以下である日が設定期間を越えて続いたときに、沸き上げ温度をマイナス補正するから、過度に沸き上げ温度を高くすることがなくて、貯湯タンクからの放熱ロスを小さくし、また、ヒートポンプを使用する場合、その効率を高くして、省エネルギーを達成できる。
【図面の簡単な説明】
【００１７】
【図１】この発明の第１実施形態の給湯機の回路図である。
【図２】上記第１実施形態の給湯機の動作を説明するフローチャートである。
【図３Ａ】上記第１実施形態の日と追い焚き時間との関係を示すグラフである。
【図３Ｂ】上記第１実施形態の日と追い焚き補正値との関係を示すグラフである。
【図４】この発明の第２実施形態の給湯機の要部のブロック図である。
【発明を実施するための形態】
【００１８】
以下、この発明の給湯機を図示の実施形態により詳細に説明する。
【００１９】
（第１実施形態）
図１に示すように、この第１実施形態の給湯機は、貯湯タンク１と、この貯湯タンク１の水を加熱する加熱手段としてのヒートポンプユニット２と、浴槽３の湯と貯湯タンク１の湯との間で熱交換する風呂追い焚き用の熱交換器４とを備えている。
【００２０】
上記貯湯タンク１には、その貯湯タンク１の深さ方向の各位置の湯温を検知する複数個の貯湯タンク温度センサ８が設けられている。
【００２１】
上記ヒートポンプユニット２は、沸き上げ用のポンプ５を有する沸き上げ循環路６によって貯湯タンク１の底部のヒートポンプ往き口１８と上部のヒートポンプ戻り口１９とに接続されている。そして、上記沸き上げ用のポンプ５の駆動によって、貯湯タンク１の底部の低温の湯がヒートポンプ往き口１８からヒートポンプユニット２に供給されて加熱されて、ヒートポンプ戻り口１９から貯湯タンク１に戻されるようになっている。
【００２２】
また、上記風呂追い焚き用の熱交換器４は、追い焚き用の第１ポンプ８を有する貯湯タンク側風呂追い焚き循環路９によって、貯湯タンク１の風呂追い焚き往き口２５と風呂追い焚き戻り口２６に接続されている。さらに、上記風呂追い焚き用の熱交換器４は、追い焚き用の第２ポン１１を有する浴槽側風呂追い焚き循環路１２によって浴槽３に接続している。上記追い焚き用の第１および第２ポンプ８，１１を駆動すると、貯湯タンク側風呂追い焚き循環路９に貯湯タンク１からの湯が流れる一方、浴槽側風呂追い焚き循環路１２に浴槽３からの湯が流れて、風呂追い焚き用の熱交換器４において貯湯タンク１の湯と浴槽３の湯とが熱交換されて、風呂の追い焚きがなされる。上記風呂追い焚き用の熱交換器４、追い焚き用の第１および第２ポンプ８，１１、貯湯タンク側風呂追い焚き循環路９および浴槽側風呂追い焚き循環路１２は、風呂追い焚き手段の一例を構成する。
【００２３】
上記浴槽側風呂追い焚き循環路１２において、風呂追い焚き用の熱交換器４の上流側と下流側とに温度センサ１３，１４を設けて、この温度センサ１３，１４の出力と、浴槽側風呂追い焚き循環路１２の流量とによって、風呂追い焚き熱量を計算できるようにしている。
【００２４】
上記貯湯タンク１の上部の給湯口２０から高温の湯が混合弁２２に供給され、この混合弁２２で湯と水が混合されて、適切な温度の湯が蛇口２３に供給されるようになっている。
【００２５】
上記貯湯タンク１の下部の給水口２４には、給水管２５が接続されて、給湯口２０から排出された湯量相当の水量が給水口２４から貯湯タンク１内に供給されるようになっている。上記給水管２５は、混合弁２２にも接続されて、混合弁２２に水を供給するようになっている。
【００２６】
リモコン３２には、風呂追い焚き指令手段の一例としての風呂追い焚きスイッチ３３が設けられている。この風呂追い焚きスイッチ３３をオンすると、風呂追い焚き用の第１および第２ポンプ８，１１が駆動されて、所定時間の風呂の追い焚きが始まる。
【００２７】
上記ヒートポンプユニット２，沸き上げ用のポンプ５，風呂追い焚き用の第１および第２ポンプ８，１１は、制御装置５０によって制御される。上記制御装置５０は、マイクロコンピュータからなり、メモリ５１と、沸き上げ温度設定手段５２と、沸き上げ温度プラス補正手段５３と、沸き上げ温度マイナス補正手段５４とを備える。
【００２８】
上記メモリ５１は、１日毎の風呂追い焚き手段の履歴（運転時間）、つまり、風呂追い焚き用の第１および第２ポンプ８，１１の駆動時間を記憶する。
【００２９】
上記沸き上げ温度設定手段５２、沸き上げ温度プラス補正手段５３および沸き上げ温度マイナス補正手段５４は、ソフトウェアにより構成されている。
【００３０】
上記沸き上げ温度設定手段５２は、例えば、複数個の貯湯タンク温度センサ８による貯湯タンク１内の湯の温度の増減度合から使用湯量を求め、記憶された過去の一定期間の使用湯量実績に基づき、その日の沸き上げ温度を決定する。尤も、上記沸き上げ温度設定手段５２は、季節や気温毎に予め定められた沸き上げ温度が設定されたり、使用者の入力によって、沸き上げ温度が設定されるものであってもよい。
【００３１】
上記沸き上げ温度プラス補正手段５３は、メモリ５１に記憶されている風呂追い焚き手段の履歴（運転時間）を参照して、一日の風呂追い焚き運転の予め定められた時間の一例としての３０分を越えたときに、上記沸き上げ温度を１日につき２℃だけ高く、つまり、＋２℃の補正を行う。また、上記沸き上げ温度マイナス補正手段５４は、メモリ５１に記憶されている風呂追い焚き手段の運転時間を参照して、一日の風呂追い焚き運転の時間が３０分以下である日が設定期間の一例としての３日を越えて続いたときに、上記沸き上げ温度を１日につき２℃だけ低く、つまり、−２℃の補正を行う。
【００３２】
上記構成の給湯機の沸き上げ温度プラス補正手段５３および沸き上げ温度マイナス補正手段５４の毎日の動作について、図２のフローチャートを参照しながら説明する。
【００３３】
まず、ステップＳ１で、１日の終了時点あるいは予め定めた時点で風呂追い焚き手段の１日の間の運転時間、つまり、風呂追い焚き時間Ｔ≦３０分が満たされるか否か判断する。風呂追い焚き時間Ｔ≦３０分を満たすか否かの判断が、是と判断されると、ステップＳ２に進む。
【００３４】
ステップＳ２で、このステップＳ１で是と判断した日が連続して３日を越えた否か判別し、否の場合は、沸き上げ温度のマイナス補正を行わないで、つまり、
現在の沸き上げ温度のまま、補正動作を終了する。
【００３５】
一方、ステップＳ２で、ステップＳ１で是と判断した日が連続して３日を越えたと判断したときは、ステップＳ３に進んで、現在の沸き上げ温度が、下限値であるか否か判断する。現在の沸き上げ温度が下限値である場合は、ステップＳ４に進んで、沸き上げ温度をマイナス補正しないで、沸き上げ温度を下限値に維持して、補正動作を終了する。
【００３６】
ステップＳ３で、現在の沸き上げ温度が、下限値でないと判断したときは、ステップＳ５に進んで、沸き上げ温度を−２℃だけ補正、つまり、２℃だけ低くなるように補正する。
【００３７】
上記下限値は、例えば、日常の湯の使用状況に基づいて定められた沸き上げ温度Aである。そして、この下限値である沸き上げ温度Aと、マイナス補正されて定まる沸き上げ温度Bとを比較して、B<Aとなる場合には、貯湯タンクの湯は、下限値である沸き上げ温度Ａで沸きあげるのである。
【００３８】
上記ステップＳ１，Ｓ２，Ｓ３，Ｓ４，Ｓ５は、沸き上げ温度マイナス補正手段５４を構成する。
【００３９】
上述のように、上記沸き上げ温度マイナス補正手段５４が、メモリ５１に記憶された風呂追い焚き運転の運転時間に基づいて、一日の風呂追い焚き運転の時間が３０分以下である日が３日間を越えて続いたときに、沸き上げ温度を、１日につき−２℃だけマイナス補正するから、過度に沸き上げ温度を高くすることがなくて、貯湯タンク１からの放熱ロスを小さくでき、また、ヒートポンプユニット２の効率を高くして、省エネルギーを達成できる。また、沸き上げ温度が下限値よりも、低くなることがないので、使い勝手が悪くなることがない。
【００４０】
一方、ステップＳ１で、風呂追い焚き時間Ｔ≦３０分を満たすか否かの判断が、否と判断されると、ステップＳ６に進んで、現在の沸き上げ温度が上限値であるか否か判断する。是と判断すると、ステップＳ７に進んで、上限値である現在の沸き上げ温度を維持する。
【００４１】
ステップＳ６で、現在の沸き上げ温度が上限値でないと判断すると、沸き上げ温度を＋２℃だけ高く補正する。
【００４２】
上記ステップＳ１，Ｓ６，Ｓ７，Ｓ８は、沸き上げ温度プラス補正手段５３を構成する。
【００４３】
このように、上記沸き上げ温度プラス補正手段５３が、１日当たりの追い焚き時間が３０分を越えると、沸き上げ温度を＋２℃ずつ上限値迄、プラス補正するから、風呂の追い焚きに過度に時間がかかることがなく、利便性、使い勝手が良い。また、沸き上げ温度に上限値が有って、過度に高くならないから、放熱などのエネルギーロスが比較的小さくなる。
【００４４】
図３Ａ，３Ｂは、上述の動作を具体的に示すグラフであり、図３Ａの横軸は日、縦軸は追い焚き運転時間を示し、図３Ｂの横軸は日、縦軸は追い焚き補正温度を表す。
【００４５】
図３Ａに示すように、第１日から第５日の間は、毎日、１日当たりの風呂追い焚き手段の運転時間（追い焚き時間）が３０分を越えるから、各日の終了時点で、沸き上げ温度に対して、図２ＢのＡ〜Ｅに示すように、沸き上げ温度設定手段５２による沸き上げ温度を＋２℃ずつ補正する。なお、ここでは、図３Ｂに示すように、開始時には、沸き上げ温度設定手段５２による沸き上げ温度が下限値にあるとしている。
【００４６】
図３Ａに示すように、第６，７日目は、１日当たりの追い焚き時間が３０分以下であるが、第６，７日の補正の要否の判断時に、追い焚き時間が３０分以下である日が３日を越えて続いていないので、図３ＢのＥに示すように、−２℃のマイナス補正は行われない。
【００４７】
図３Ａに示すように、第８日目は、１日当たりの追い焚き時間が３０分を越えるが、図３ＢのＥに示すように、既に、沸き上げ温度が上限値になっているので、その上限値を維持して、プラス補正は行われない。
【００４８】
図３Ａに示すように、第９日から第１１日の連続する３日は、１日当たりの風呂追い焚き手段の運転時間（追い焚き時間）が３０分以下であり、第１２日も１日当たりの追い焚き時間が３０分以下であるから、第１２日の終了時点で、沸き上げ温度に対して、図３ＢのＦに示すように、沸き上げ温度設定手段５２の沸き上げ温度を−２℃だけ補正する。第１３日目も、追い焚き時間が３０分以下であるから、図３ＢのＧに示すように、さらに、沸き上げ温度を−２℃だけ補正するする。
【００４９】
上記沸き上げ温度マイナス補正手段５４は、１回につき−２℃だけ補正するマイナス補正を行うが、沸き上げ温度が予め定められた下限値に到達すると、図３Ｂには図示していないが、その下限値を維持して、マイナス補正を行わない。
【００５０】
図３Ａに示すように、１４日目には、１日当たりの追い焚き時間が３０分を越えるから、沸き上げ温度プラス補正手段５３によって、図３ＢのＨに示すように、沸き上げ温度を１日につき２℃だけ高く、つまり、＋２℃の補正を行う。さらに、図３Ａに示すように、１５日目も、１日当たりの追い焚き時間が３０分を越えるから、沸き上げ温度プラス補正手段５３によって、図３ＢのＩに示すように、沸き上げ温度を１日につき２℃だけ高く、つまり、＋２℃の補正を行なって、沸き上げ温度を上限値に補正する。１６日目も、１日当たりの追い焚き時間が３０分を越えるが、沸き上げ温度は、既に、図３ＢのＩに示すように、上限値になっているから、沸き上げ温度の＋補正はなされない。
【００５１】
このように、上記沸き上げ温度プラス補正手段５３が、１日当たりの追い焚き時間が３０分を越えると、沸き上げ温度を＋２℃ずつ上限値迄、プラス補正するから、風呂の追い焚きに過度に時間がかかることがなく、利便性、使い勝手が良い。また、沸き上げ温度に上限値が有って、過度に高くならないから、放熱などのエネルギーロスが比較的小さくなる。
【００５２】
また、上記沸き上げ温度マイナス補正手段５４が、メモリ５１に記憶された風呂追い焚き運転の運転時間に基づいて、一日の風呂追い焚き運転の時間が３０分以下である日が３日間を越えて続いたときに、沸き上げ温度を、１日につき−２℃だけマイナス補正を下限値に至る迄行うから、過度に沸き上げ温度を高くすることがなくて、貯湯タンク１からの放熱ロスを小さくでき、また、ヒートポンプユニット２の効率を高くして、省エネルギーを達成できる。
【００５３】
（第２実施形態）
図４は、第２実施形態の給湯機の制御装置６０を示すブロック図である。この第２実施形態の給湯機は、制御装置６０の構成のみが第１実施形態と異なるので、制御装置６０以外の要素については、第１実施形態の図１を援用する。
【００５４】
上記制御装置６０は、マイクロコンピュータからなり、メモリ６１と、沸き上げ温度設定手段５２と、沸き上げ温度プラス補正手段６３と、沸き上げ温度マイナス補正手段６４と、熱量演算手段６５とを備える。
【００５５】
上記沸き上げ温度設定手段５２は、第１実施形態の沸き上げ温度設定手段５２と同一構成であるので、同一参照番号を付して、説明を省略する。
【００５６】
上記メモリ６１は、風呂追い焚き運転の履歴を記憶し、より詳しくは、風呂追い焚きに使用した熱量を演算するためのデータとして、図１に示す風呂追い焚き用の熱交換器４の上流側と下流側の温度センサ１３，１４の検出温度と、浴槽側風呂追い焚き循環路１２の流量に対応する追い焚き用の第２ポンプ１１の回転数を記憶する。あるいは、図示しないが、風呂追い焚きに使用した熱量を演算するためのデータとして、貯湯タンク側風呂追い焚き循環路９の流量に対応する追い焚き用の第１ポンプ８の回転数と、貯湯タンク側風呂追い焚き循環路９における風呂追い焚き用の熱交換器４の上流側と下流側の図示しない温度センサの検出温度を記憶するようにしてもよい。また、上記貯湯タンク側風呂追い焚き循環路９または風呂追い焚き循環路１２の流量を図示しない流量センサで直接検出して、メモリ６１に記憶するようにしてもよい。
【００５７】
上記熱量演算手段６５は、メモリ６１に記憶された温度センサ１３，１４の両検出温度の差と、浴槽側風呂追い焚き循環路１２の流量とを掛けて、１日の間において、風呂追い焚き用の熱交換器４で熱交換された熱量、つまり、風呂追い焚き用の所要熱量を演算する。
【００５８】
上記沸き上げ温度プラス補正手段６３は、上記熱量演算手段６５で演算された１日当たりの風呂追い焚き用の所要熱量が予め定められた熱量を越えると、沸き上げ温度を＋２℃ずつ上限値迄、プラス補正する。このように、上記所要熱量に応じて、沸き上げ温度をプラス補正するから、沸き上げ温度を正確に所要熱量に対応させて、熱量の不足を防止できる。
【００５９】
したがって、風呂の追い焚きに過度に時間がかかることがなく、利便性、使い勝手が良い。また、沸き上げ温度に上限値が有って、過度に高くならないから、放熱などのエネルギーロスが比較的小さくなる。
【００６０】
また、上記沸き上げ温度マイナス補正手段６４は、上記熱量演算手段６５で演算された１日当たりの風呂追い焚き用の所要熱量が予め定められた熱量以下である日が設定期間の一例としての３日を越えて続いたときに、沸き上げ温度を１日につき２℃だけ低く、つまり、−２℃の補正を下限値に至る迄行う。
【００６１】
このように、風呂追い焚き用の所要熱量に応じて、沸き上げ温度をマイナス補正するから、過度に沸き上げ温度を高くすることがなくて、貯湯タンク１からの放熱ロスを小さくでき、また、ヒートポンプユニット２の効率を高くして、省エネルギーを達成できる。
【００６２】
この第２実施形態の動作は、第１実施形態の図２のフローチャートにおいて、ステップＳ１の内容を、所要熱量≦予め定められた熱量と読み替えるだけで、他は全く同じなので、説明は省略する。また、第１実施形態の図３Ａ，３Ｂにおいて、図３Ａの縦軸の追い焚き時間を、所要熱量と読み替えると、第２実施形態に適合するので、説明は省略する。
【００６３】
上記第１および第２実施形態では、沸き上げ温度マイナス補正手段５４，６４は、−２℃ずつ補正するようにしているが、−１℃、−３℃等の任意の数値のマイナス補正をしてもよい。
【００６４】
また、上記第１および第２実施形態では、沸き上げ温度マイナス補正手段５４，６４では、設定期間は一例として３日であるが、２日でも、４日でも、１週間でも、任意の長さの期間であっても良い。
【００６５】
また、上記第１および第２実施形態では、加熱手段として、ヒートポンプユニット２を用いたが、ガス釜を用いてもよい。
【００６６】
また、第１実施形態の風呂追い焚き用の熱交換器９に代えて、図示しないが、浴槽からの循環路を貯湯タンク内に導いて、貯湯タンク内の湯と浴槽からの湯とを熱交換するようにしてもよい。
【符号の説明】
【００６７】
１  貯湯タンク
２  ヒートポンプユニット
３  浴槽
４  風呂追い焚き用の熱交換器
５  沸き上げ用のポンプ
８  追い焚き用の第１ポンプ
１１  追い焚き用の第２ポンプ
３３  風呂追い焚きスイッチ
５０，６０  制御装置
５１，６１  メモリ
５２  沸き上げ温度設定手段
５３，６３  沸き上げ温度プラス補正手段
５４，６４  沸き上げ温度マイナス補正手段
６５  熱量演算手段
【図１】
2014070809.tif 000003
【図２】
2014070809.tif 000004
【図３Ａ】
2014070809.tif 000005
【図３Ｂ】
2014070809.tif 000006
【図４】
2014070809.tif 000007